(57)【要約】【課題】  経験や専門知識の少ない設計担当者によっても、身体状況に応じた適切なプラン設計が容易にかつ迅速に行える住宅の身体状況対応設計支援システムを提供する。【解決手段】  この設計支援システムは、数段階（例えば４〜１０段階程度）に区分されるレベル別プランＰと、これらレベル別プランＰのいずれを選択するかを定める選定フロー図１とを備える。レベル別プランＰは、居住者の身体状況のレベルの別に、玄関、浴室、および便所のプランを含む住宅全体のプランの典型例２、および居住者の具体的状況に応じた前記典型例２に対する設計変更および詳細内容の情報３を定めたものとする。選定フロー図１は、居住者の歩行から、車椅子使用、全面要介助までの基本移動方法に関する身体状況レベルの判断ステップと、この基本移動方法に関する判断ステップの下位に設けられた基本移動方法以外の観点の判断ステップとを含むものとする。【選択図】        図１
2005282246.tif 000002
【特許請求の範囲】
【請求項１】
数段階に区分されるレベル別プランと、これらレベル別プランのいずれを選択するかを定める選定フロー図とを備え、
前記レベル別プランは、居住者の身体状況のレベルの別に、玄関、浴室、および便所のプランを含む住宅全体のプランの典型例、および居住者の具体的状況に応じた前記典型例に対する設計変更および詳細内容の情報を定めたものとし、
前記選定フロー図は、居住者の歩行から、車椅子使用、全面要介助までの基本移動方法に関する身体状況レベルの判断ステップと、この基本移動方法に関する判断ステップの下位に設けられた他の観点の判断ステップとを含むものとした、
ことを特徴とする住宅の身体状況対応設計支援システム。
【請求項２】
請求項１において、前記選定フロー図は、前記基本移動方法以外の観点の判断ステップとして、居住者の今後の身体状況の変化に係る状況である今後状況の判断ステップを含むものとし、今後状況の判断ステップの判断結果に応じた分岐先は、数段階に区分されるレベル別プランにおける複数段階離れたレベル別プランに至るものとした住宅の身体状況対応設計支援システム。
【請求項３】
請求項１または請求項２において、前記選定フロー図は、前記基本移動方法以外の観点の判断ステップとして、便器での移乗方法に係る状況の判断ステップを含むものとした住宅の身体状況対応設計支援システム。
【請求項４】
請求項１ないし請求項３のいずれか１項において、玄関、浴室、および便所等の用途別の空間区分毎に、それぞれ内部仕様の設定された複数のパターンを設け、前記レベル別プランに含まれる設計変更および詳細内容の情報として、前記空間区分に、前記パターンを示す情報を含むものとした住宅の身体状況対応設計支援システム。
【請求項５】
請求項４において、玄関にかかる複数のパターンとして、玄関の床に対する屋外からの段差を解消する手段が互いに異なる複数のパターンを設け、これら複数のパターンとして、玄関土間で段差を解消する手段を採るパターン、玄関ポーチで段差を解消する手段を採るパターン、エレベータを設けて段差を解消するパターン、およびスロープで段差を解消する手段を採るパターンを少なくとも含むものとした住宅の身体状況対応設計支援システム。
【請求項６】
請求項４または請求項５において、前記レベル別プラン、前記選定フロー図、および前記各パターンを画像表示用のデータとして記憶した記憶手段と、この記憶手段に記憶された前記レベル別プラン，前記選定フロー図，および前記各パターンをコンピュータにおける画面表示装置の画面に選択的に出力する画面出力手段と、前記画面表示装置の画面に表示されたた選定フロー図におけるレベル別プランのプラン名表示を選択することで、前記プラン名に対応するレベル別プランの内容を前記画面出力手段により画面表示させる第１のリンク手段と、画面表示されたレベル別プランにおける空間区分を選択することで、その空間区分に対して設けられたパターンを前記画面出力手段により画面表示させる第２のリンク手段とを備えた住宅の身体状況対応設計支援システム。
【請求項７】
請求項４または請求項５に記載の住宅の身体状況対応設計支援システムを用いた身体状況対応設計方法であって、
プラン設計担当者または営業マン等の業者職員が、居住者，施主等の顧客から、居住者の家族構成、居住者の身体状況を聞き取る過程と、上記業者職員が前記選定フロー図を用い、前記聞き取りの内容に従ってレベル別プランを選択する過程と、選択されたレベル別プランを用い、前記聞き取りの内容に従って空間区分別のパターンを選択する過程とを含む住宅の身体状況対応設計方法。
【発明の詳細な説明】
【技術分野】
【０００１】
この発明は、住宅全体、およびその玄関、浴室、便所等のプランを、居住者の身体状況に応じてどのように設計するかを支援する住宅の身体状況対応設計支援システムに関するものである。
【背景技術】
【０００２】
住宅のプラン設計を行う場合に、居住者に老人、病人、身体不自由者等が含まれる場合や、老齢期に備えたプラン設計を行うには、身体状況に応じて、玄関、浴室、便所等のプラン設計をすることが重要である。従来は、設計担当者や営業マン等が、施主側の人から身体状況を聞き出し、経験、知識に基づいて、設計や、設計担当者への提案、相談を行っている。また、建築の専門家の他に、医療、保健、福祉等の専門職チームが、身体状況、障害状況、動作機能、介護状況等について評価し、その評価内容に応じてプラン設計することも、一部で行われている。
【特許文献１】特開２００３−１０８６２４号公報
【特許文献２】特開２００３−２０６６４４号公報
【発明の開示】
【発明が解決しようとする課題】
【０００３】
しかし、上記のような専門家チームによってプラン設計することは、人員確保、プラン作成の日程、コストの面で実現が難しい。実際には、経験や専門知識の少ない設計担当者によるプラン設計が余儀なくされることが多い。そのため、設計担当者等の個人差が多くて、居住者の身体状況に応じた適切なプランとならない場合がある。住宅の新築では、玄関、浴室、便所、階段など、身体状況に応じてプラン設計すべき事項が多数あり、その全てを満足できるプランとすることは、非常に困難な作業となる。
【０００４】
この発明の目的は、経験や専門知識の少ない設計担当者によっても、身体状況に応じた適切なプラン設計が容易にかつ迅速に行える住宅の身体状況対応設計支援システムを提供することである。
【課題を解決するための手段】
【０００５】
この発明の住宅の身体状況対応設計支援システムは、数段階（例えば４〜１０段階程度）に区分されるレベル別プランと、これらレベル別プランのいずれを選択するかを定める選定フロー図とを備える。
前記レベル別プランは、居住者の身体状況のレベルの別に、玄関、浴室、および便所のプランを含む住宅全体のプランの典型例、および居住者の具体的状況に応じた前記典型例に対する設計変更および詳細内容の情報を定めたものとする。
前記選定フロー図は、居住者の歩行から、車椅子使用、全面要介助までの基本移動方法に関する身体状況レベルの判断ステップと、この基本移動方法に関する判断ステップの下位に設けられた他の観点（基本移動方法以外の観点のこと）判断ステップとを含むものとする。
【０００６】
この構成の支援システムによると、設計担当者または営業マンプラン等の業者職員が、居住者，施主等の顧客から、居住者の家族構成、居住者の身体状況を聞き取り、上記業者職員が前記選定フロー図を用い、前記聞き取りの内容に従ってレベル別プランを選択することができる。
選定フロー図は、居住者の歩行から、車椅子使用、全面要介助までの基本移動方法に関する身体状況レベルの判断ステップと、この基本移動方法に関する判断ステップの下位に設けられた基本移動方法以外の観点の判断ステップとを含むものとしたため、住宅の設計指針とすべき的確な身体状況レベルの判断が行える。すなわち、住宅のプラン設計では、居住者の歩行，車椅子使用，全面要介助等の移動方法を基本として大きく異なるため、まず基本移動方法による判断を行い、その後他の観点の判断ステップを設けることで、住宅のプラン設計に反映すべき的確な身体状況レベルの判断が行える。
また、レベル別プランは、居住者の身体状況のレベルの別に、玄関、浴室、および便所のプランを含む住宅全体のプランの典型例が示され、かつ居住者の具体的状況に応じた前記典型例に対する設計変更および詳細内容の情報が示されているため、経験や専門知識の少ない設計担当者等によっても、身体状況に応じた適切なプラン設計が行える。したがって、安定した品質のプラン設計が行える。
【０００７】
前記選定フロー図は、前記基本移動方法以外の観点の判断ステップとして、居住者の今後の身体状況の変化に係る判断ステップを含むものとし、今後状況の判断ステップの判断結果に応じた分岐先は、数段階に区分されるレベル別プランにおける複数段階離れたレベル別プランに至るものとしても良い。
居住者の身体状況レベルは、疾病や年齢等によって急に大きく変わることがある。住宅の改築は、身体状況レベルの変化に対して迅速に行うことは難しい。そのため、身体状況レベルが大きく変化すると予測される場合は、最も身体状況レベルが低下したときのレベルを考慮する必要がある。上記のように、今後状況の判断ステップの判断結果に応じた分岐先は、数段階に区分されるレベル別プランにおける複数段階離れたレベル別プランに至るものとすることで、身体状況レベルの変化に的確に対応することができる。
【０００８】
前記選定フロー図は、前記基本移動方法以外の観点の判断ステップとして、便器での移乗方法に係る状況の判断ステップを含むものとしても良い。
便器での移乗方法に係る状況は、浴室での浴槽への出入り等の入浴方法も関連が深い。そのため、基本移動方法の次に、便器での移乗方法に係る状況の判断ステップを設けることで、便所の他に浴室に対しても、適切な身体状況レベルが判断できる。
【０００９】
この発明において、玄関、浴室、および便所等の用途別の住宅内空間区分毎に、それぞれ内部仕様の設定された複数のパターンを設け、前記レベル別プランに含まれる設計変更のおよび詳細内容の情報として、前記空間区分に、前記パターンを示す情報を含むものとしても良い。
玄関、浴室、便所等の空間区分毎に内部仕様の設定された複数のパターンを設けておくことで、これら玄関等の空間区分の設計を個別に行う手間が省け、かつ適切な仕様に設定できる。このような空間区分毎のパターンを設けた場合に、レベル別プランに含まれる設計変更および詳細内容の情報として、前記パターンを選択する情報を含めておくことで、居住者の具体的状況に応じた適切な設計が、個々の区分空間についても行える。すなわち、身体状況レベルの判定結果に応じて、レベル別プランにおける住宅全体のプランの典型例を見て、おおよそのプランを定め、その上で、居住者の具体的状況に応じた玄関、浴室、便所等の個別のパターンを選択することで、きめ細かいプラン設計までが迅速にかつ的確に行うことができる。
【００１０】
空間区分毎に複数のパターンを設ける場合に、玄関にかかる複数のパターンとして、玄関の床に対する屋外からの段差を解消する手段が異なる複数のパターンを設けても良い。これら複数のパターンとして、玄関土間で段差を解消する手段を採るパターン、玄関ポーチで段差を解消する手段を採るパターン、エレベータを設けて段差を解消するパターン、およびスロープで段差を解消する手段を採るパターンを少なくとも含むものとする。
玄関の床に対する屋外からの段差は、敷地条件等によっても変わるため、身体状況レベルだけではその適切な段差解消手段が判断できない。そのため、玄関について、玄関の床に対する屋外からの段差を解消する手段が異なる複数のパターンを設けておくことで、適切なプラン設計が迅速に行える。この場合に、玄関土間による段差解消、玄関ポーチでの段差解消、エレベータの設置、スロープによる段差解消等の別のパターンを設けておくことで、敷地条件と身体状況レベルの両方に応じた適切なプラン設計が簡単に行える。
【００１１】
この発明の住宅の身体状況対応設計支援システムにおいて、レベル別プランおよび選定フロー図は、用紙上に表示したものであっても良いが、パーソナルコンピュータやその他のコンピュータ（１１）の画面に表示されるようにしても良い。
その場合に、前記レベル別プラン、前記選定フロー図、および前記各パターンを画像表示用のデータとして記憶した記憶手段（１３）と、この記憶手段（１３）に記憶された前記レベル別プラン、前記選定フロー図、および前記各パターンをコンピュータにおける画面表示装置（１２）の画面に選択的に出力する画面出力手段（１４）を設ける。また、前記画面表示装置（１２）の画面に表示されたた選定フロー図におけるレベル別プランのプラン名表示を選択することで、前記プラン名に対応するレベル別プランの内容を前記画面出力手段により画面表示させる第１のリンク手段（１５）と、画面表示されたレベル別プランにおける空間区分を選択することで、その空間区分に対して設けられたパターンを前記画面出力手段により画面表示させる第２のリンク手段（１６）とを備える。
【００１２】
このように、コンピュータ（１１）の画面上に選定フロー図やレベル別プランを表示するようにし、その際に希望のレベル別プランや空間区分別のパターンが画面上で選択できるようにしておくと、これらレベル別プランや空間区分別のパターンを即座に表示させることができて、全体プランやその空間区分別のパターンの選択がより一層容易に行える。      
【００１３】
この発明の住宅の身体状況対応設計方法は、この発明の身体状況対応設計支援システムを用いる設計方法であって、プラン設計担当者または営業マン等の業者職員が、居住者，施主等の顧客から、居住者の家族構成、居住者の身体状況を聞き取る過程と、上記業者職員が前記選定フロー図を用い、前記聞き取りの内容に従ってレベル別プランを選択する過程と、選択されたレベル別プランを用い、前記聞き取りの内容に従って空間区分別のパターンを選択する過程とを含む。
この方法によると、この発明の身体状況対応設計支援システムを効果的に利用し、身体状況レベルに応じた適切なプラン設計を迅速に行うことができる。
【発明の効果】
【００１４】
この発明の住宅の身体状況対応設計支援システムは、数段階に区分されるレベル別プランと、これらレベル別プランのいずれを選択するかを定める選定フロー図とを備え、前記レベル別プランは、居住者の身体状況のレベルの別に、玄関、浴室、および便所のプランを含む住宅全体のプランの典型例、および居住者の具体的状況に応じた前記典型例に対する設計変更および詳細内容の情報を定めたものとし、前記選定フロー図は、居住者の歩行から、車椅子使用、全面要介助までの基本移動方法に関する身体状況レベルの判断ステップと、この基本移動方法に関する判断ステップの下位に設けられた基本移動方法以外の観点の判断ステップとを含むものとしたため、経験や専門知識の少ない設計担当者によっても、身体状況に応じた適切なプラン設計が容易にかつ迅速に行うことができる。
【発明を実施するための最良の形態】
【００１５】
この発明の第１の実施形態を図１ないし図５と共に説明する。図１に示すように、この住宅の身体状況対応設計支援システムは、数段階に区分されるレベル別プランＰ（Ｐ１〜Ｐｎ）（図１（Ｂ））と、これらレベル別プランＰ（Ｐ１〜Ｐｎ）のいずれを選択するかを定める選定フロー図１（図１（Ａ））とを備える。また、玄関、浴室、および便所等の用途別の住宅内空間区分毎に、それぞれ内部仕様の設定された複数のパターンＰＴ（図１（Ｃ））を備える。選定フロー図１には、上記各レベル別プランＰのプラン名称（「ＰＬＡＮ１」，「ＰＬＡＮ２」等）を表示する。プラン名称には「ＰＬＡＮ１」等のように、身体状況レベルの表示が含まれるものとする。
【００１６】
レベル別プランＰ（Ｐ１〜Ｐｎ）は、居住者の身体状況のレベルの別に、玄関、浴室、および便所のプランを含む住宅全体のプランの典型例２、および居住者の具体的状況に応じた前記典型例２に対する設計変更および詳細内容の情報３を定めたものである。
【００１７】
図２にプラン名「ＰＬＡＮ２」で示されるレベル別プランＰ２の内容例を示し、図３にプラン名「ＰＬＡＮ３」で示されるレベル別プランＰ３の内容例を示す。図２の例では、１階（１Ｆ）および２階（２Ｆ）の平面プランの典型例２が示されている。この典型例２の図に対して、玄関、浴室、および便所（トイレ）等の空間区分の設計変更および詳細内容の情報３が示されている。この設計変更および詳細内容の情報３には、例えば、図２の典型例２における１階部分の玄関に対して、「ＰＡＴＴＥＲＮ５参照」、「ガレージと組み合わせる場合は「玄関編ＰＡＴＴＥＲＮ８」参照」とあるように、空間区分毎の参照パターンの名称を示す表示が施してある。
【００１８】
図５は、玄関に係る複数のパターンＰＴの例を示す。同図（Ａ）〜（Ｇ）に、パターン名「ＰＡＴＴＥＲＮ１」〜「ＰＡＴＴＥＲＮ７」で示される各パターンＰＴが示されている。これらのパターンＰＴとして、玄関の床に対する屋外からの段差を解消する手段が異なる複数のパターンＰＴが設けられている。これら複数のパターンＰＴには、玄関土間で段差を解消する手段を採るパターン（「ＰＡＴＴＥＲＮ２」）、玄関ポーチで段差を解消する手段（例えば、段差解消機）を採るパターン（「ＰＡＴＴＥＲＮ３」）、エレベータを設けて段差を解消するパターン（「ＰＡＴＴＥＲＮ４」，「ＰＡＴＴＥＲＮ５」）、およびスロープで段差を解消する手段を採るパターン（「ＰＡＴＴＥＲＮ６」，「ＰＡＴＴＥＲＮ７」）が含まれている。
【００１９】
玄関の他に、浴室および便所についても、内部仕様の設定された複数のパターンが設けられるが、浴室、便所のパターン例は省略する。
【００２０】
図２は、選定フロー図１の具体例を示す。選定フロー図１は、居住者の歩行から、車椅子使用、全面要介助までの基本移動方法に関する身体状況レベルの判断ステップ（Ｓ１〜Ｓ５）（ステッップ群Ａ）と、この基本移動方法に関する判断ステップの下位に設けられた他の観点の判断ステップとを含むものとされている。判断結果は、レベル別プランＰの名称（「ＰＬＡＮ１」，「ＰＬＡＮ２」等）の表示部分に至るように設けられている。判断結果の到達先として、複数のレベル別プランＰの名称を併記した部分が設けてあり、その場合はその複数のレベル別プランを選定対象とする。レベル別プランＰの名称の表示部分には、参考情報５が付記してある。同じレベル別プランにおいて、参考情報５の内容が異なる場合が設けられている。例えば、「ＰＬＡＮ２」は、参考情報５の異なる３つの例が示されている。この参考情報５の異なる３つの例は、プラン名は共通のものとしてあるが、それぞれが身体状況レベルの違いに対応したレベル別プランである。
【００２１】
他の観点の判断ステップとしては、便器での移乗方法に係る状況の判断ステップ（Ｓ６，Ｓ７）（ステッップ群Ｂ）と、居住者の今後の身体状況の変化に係る状況である今後状況の判断ステップ（Ｓ８〜Ｓ１１）（ステップ群Ｃ）とが設けられる。今後状況の判断ステップ（ステップ群Ｃ）の判断結果に応じた分岐先は、数段階に区分されるレベル別プランＰにおける複数段階離れたレベル別プランＰに至るものとされている。ここで言う「複数段階離れた」とは、レベル別プランＰの名称が同じであっても、参考情報５の異なるものは別のレベル別プランと考えた場合の複数段階である。
【００２２】
選定フロー図１の各ステップを説明する。歩行に関する判断ステッップ群Ａの第１のステップＳ１では、自分で歩けるか否かの判定内容を示す。歩ける場合はステップＳ８に進む。歩けない場合は、ステップＳ２に進み、車椅子を日常的に利用しているか否かの判定を行う。利用している場合は、車椅子を自分で操作できるか否かの判定ステップ（Ｓ４）に進み、利用していない場合は、日常は殆どベッドの上で生活しているか否かの判定ステップ（Ｓ３）に進む。「はい」の場合は、レベル別プラン（「ＰＬＡＮ５」）に至る。「いいえ」の場合は、日常の生活状況を再度聞き出し、その内容に応じて再判定を行う。上記ステップＳ４で、車椅子を自分で操作できないと判定した場合は、ステップＳ５に進み、自分で移乗ができるか否かの判定を行う。このように、歩行に関する各判定を行う。
【００２３】
ステップＳ４で、車椅子を自分で操作できると判定した場合は、排泄方法、つまり便所での移乗に関する判定ステップ群Ｂに進む。この段階では、まず、ステップＳ６おいて、自分で移乗して通常の便器が利用できるか否かの判定を行い、できない場合は、床に埋め込んだ便器なら利用できるか否かの判定（ステップＳ７）を行う。
【００２４】
今後状況の判断ステップ群（Ｃ）では、次の各判定を行う。前記のステップＳ１で自分で歩けると判定した場合は、ステップＳ８で、疾病の病状・動作能力は今後も安定しているか否かを判定する。安定している場合は、レベル別プランの「ＰＬＡＮ１」に至る。安定していない場合は、「ＰＬＡＮ３」，「ＰＬＡＮ４」の併合表示部分の参考情報５32の表示部分に至る。今後状況の判断ステップ群（Ｃ）の各ステップＳ８〜Ｓ１１において、今後の状況が安定していなと判定した場合は、いずれも「ＰＬＡＮ３」，「ＰＬＡＮ４」の併合表示部分のうちの参考情報５32の表示部分に至る。
【００２５】
ステップＳ６で、自分で移乗して通常の便器が利用できると判定した場合は、ステップ９に進み、疾病の病状・動作能力は今後も安定しているか否かを判定し、安定している場合はレベル別プランの「ＰＬＡＮ２」（参考情報５21）に至る。
ステップＳ７で、床に埋め込んだ便器でも使用できないと判定した場合は、レベル別プランの「ＰＬＡＮ２」（参考情報５23）に至る。使用できると判定した場合は、ステップＳ１０で、疾病の病状・動作能力は今後も安定しているか否かを判定し、安定している場合は「ＰＬＡＮ２」（参考情報５22）に至る。
ステップＳ５で車椅子の移乗が自分でできると判定した場合は、ステップＳ１１に進み、疾病の病状・動作能力は今後も安定しているか否かを判定する。安定している場合は、「ＰＬＡＮ３」，「ＰＬＡＮ４」の併合表示部分の参考情報５31の表示部分に至る。
このようにして、レベル別プランＰ、およびその参考情報５の選択が行えるように、選定フロー図１の内容が設定されている。
【００２６】
次に、この住宅の身体状況対応設計支援システムを用いた設計方法を説明する。まず、プラン設計担当者または営業マン等の業者職員が、居住者，施主等の顧客から、居住者の家族構成、居住者の身体状況を聞き取る。この聞き取りの内容に従って、業者職員等が図１の選定フロー図１を用い、その各判断ステップを辿って、レベル別プランＰ（「ＰＬＡＮ１」〜「ＰＬＡＮ５）を選択する。このとき、レベル別プランＰによっては、その参考情報５まで選択する。
この選択されたレベル別プランＰ（「ＰＬＡＮ１」〜「ＰＬＡＮ５）の内容（図３，図４等）を見て、おおよそのプラン設計の方針を決める。各空間区分の内容については、空間区分別のパターンＰＴを見て確認する。必要な場合は、玄関、浴室、便所等の空間区分別のパターンＰＴの変更を行う。
なお、レベル別プランＰにおける典型例２は、各階の床面積や間取りが定まっている例であり、実際の設計では、この典型例２や空間区分別のパターンＰＴを参考にして、希望の床面積や間取りに応じたプランを作成することになる。
【００２７】
身体状況レベルにつき説明する。上記の例では、身体状況レベルとして、大きくは次の４段階に分類し、その身体状況レベルに対応したレベル別プランＰを作成した。
（レベル１）虚弱歩行者
基本的には自ら歩行可能な者が対象。ちょっとした手掛かりに掴まれれば十分に生活できるレベルの者から、きちっとした手摺を必要とする者、さらは必要時に座って動作を行うことが必要な者も対象とする。
（レベル２）自立（自走）車椅子利用者
自ら車椅子で移動できる者。一時的に掴まり立ちができる者から、そうでない者。あるいは車椅子を利用せずに上体（腕）の力を利用して平面を移動できる者か否か等が確認のポイント。利用する車椅子は、手動、電動の両方が想定される。
【００２８】
（レベル３）介助車椅子利用者
介助者により車椅子で移動する者が対象。車椅子から対象物へ移乗できるか、あるいは介助者の手を必要とするか（手摺等に掴まって一時的に立っていられるか）等、移乗の能力と手段の確認が大切である。
（レベル４）全面介助（寝たきり）
基本的に日常の多くをベッドの上で生活する者で、生活全面に介助が必要な者が対象となる。
【００２９】
図６は、この発明の他の実施形態を示す。この実施形態は、図１ないし図５に示した第１の実施形態における各表示を、コンピュータ１１の画面表示装置１２上で行うものである。
この住宅の身体状況対応設計支援システムは、レベル別プランＰ（図３，図４）、前記選定フロー図（図１）、および前記各パターンＰＴ（図５等）を、画像表示用のデータとして記憶した記憶手段１３と、この記憶手段１３に記憶された前記レベル別プランＰ、選定フロー図１、および各パターンＰＴをコンピュータ１１における画面表示装置１２の画面に選択的に出力する画面出力手段１４とを備える。画像表示用のデータは、文字部分等を文字コードデータで記憶したものであって良い。また、前記画面表示装置１２の画面に表示された選定フロー図１におけるレベル別プランＰのプラン名表示を入力手段１７で選択することで、そのプラン名表示に対応するレベル別プランＰの内容を画面出力手段１４により画面表示させる第１のリンク手段１５を備える。画面表示されたレベル別プランＰにおける空間区分を入力手段１７で選択することで、その空間区分に対して設けられたパターンＰＴを画面出力手段１４により画面表示させる第２のリンク手段１６を備える。これらリンク手段１４，１５は、前記画像情報を関係づける手段であり、ハイパーリンク表示等を行うものとされる。
【００３０】
このように、コンピュータ１１の画面上に選定フロー図１やレベル別プランＰを表示するようにし、その際に希望のレベル別プランＰや空間区分別のパターンＰＴが画面上で選択できるようにしておくと、これらレベル別プランＰや空間区分別のパターンＰＴを即座に表示させることができる。そのため、プランやその個別のパターンの選択がより一層容易に行える。また、上記コンピュータ１１として、ノート型のパーソナルコンピュータを用いると、顧客との対話を、どこでも画面表示しなから明確に行える。
【００３１】
上記コンピュータ１１からなる身体状況対応設計支援システムをホストコンピュータ（図示せず）と通信ネットワーク（図示せず）で接続しておけば、新たな介助機器や住宅設備が開発された場合等の空間区分パターンＰＴの内容更新等にも便利である。さらに、上記記憶手段１３や画面表示装置１４をサーバ機となるコンピュータ上に設けておき、インターネット等のネットワークを介して端末から利用できるようにしておいても良い。
【図面の簡単な説明】
【００３２】
【図１】この発明の第１の実施形態の身体状況対応設計支援システムにおける選定フロー図、レベル別プランの一例、および空間区分毎のパターン例の一部を示す概要説明図である。
【図２】その選定フロー図の説明図である。
【図３】そのレベル別プランの一例の説明図である。
【図４】レベル別プランの他の例の説明図である。
【図５】玄関にかかるパターン例の説明図である。
【図６】この発明の他の実施形態にかかる身体状況対応設計支援システムの概念構成を示すブロック図である。
【符号の説明】
【００３３】
１…選定フロー図
２…典型例
３…設計変更および詳細内容の情報
５…参考情報
１１…コンピュータ
１２…画面表示装置
１３…記憶手段
１４…画面出力手段
１５，１６…リンク手段
Ｐ…レベル別プラン
ＰＴ…パターン
【図１】
2005282246.tif 000003
【図２】
2005282246.tif 000004
【図３】
2005282246.tif 000005
【図４】
2005282246.tif 000006
【図５】
2005282246.tif 000007
【図６】
2005282246.tif 000008